(57)【要約】      （修正有）【課題】空気室の水を孔部から排出可能、且つ、孔部から空気室内に水が浸入することを防止可能なポンプ容器を提供する。【解決手段】ポンプ容器１は、液状物２００を貯留する容器体２と、空気室４５，４６及び液室４７を形成するシリンダ４１、並びに、シリンダ内を往復可能に形成され、空気室及び液室を圧縮するピストン４２を備えるポンプ部１７と、往復動することでピストンを駆動し、ポンプ部から供給された液状物２００の吐出流路３４を有するノズル１６と、ポンプ部の液状物を吐出する吐出部８３，９２に設けられ、ポンプ部で吐出された液状物を空気室の空気と混合する混合部４８と、空気室の底面に形成された座面部９６と、容器体及び空気室を連通する、座面部に設けられた排水口９７と、水よりも比重が低い材料で形成され、座面部と当接可能、且つ、座面部と当接することで、排水口を閉塞するフロート９８と、を備える構成とする。【選択図】図１
2015178364.tif 000002
【特許請求の範囲】
【請求項１】
液状物を貯留する容器体と、
空気室及び液室を形成するシリンダ、並びに、前記シリンダ内を往復可能に形成され、前記空気室及び前記液室を圧縮するピストンを備えるポンプ部と、
往復動することで前記ピストンを駆動し、前記ポンプ部から供給された前記液状物の吐出流路を有するノズルと、
前記ポンプ部の前記液状物を吐出する吐出部に設けられ、前記ポンプ部で吐出された前記液状物を前記空気室の空気と混合する混合部と、
前記空気室の底面に形成された座面部と、
前記容器体及び前記空気室を連通する、前記座面部に設けられた前記排水口と、
水よりも比重が低い材料で形成され、前記座面部と当接可能、且つ、前記座面部と当接することで、前記排水口を閉塞するフロートと、
を備えることを特徴とするポンプ容器。
【請求項２】
前記排水口は、前記座面部の底面に設けられることを特徴とする請求項１に記載のポンプ容器。
【請求項３】
前記座面部の底面は、前記排水口に向かって下る傾斜面であることを特徴とする請求項２に記載のポンプ容器。
【請求項４】
前記空気室の底部に設けられ、前記フロートの前記座面部からの移動量を規制する規制部を備えることを特徴とする請求項１に記載のポンプ容器。
【発明の詳細な説明】
【技術分野】
【０００１】
本発明は、泡状の液体を供給するポンプ容器に関する。
【背景技術】
【０００２】
液状物を貯留する容器体と、一方向に往復動することで液状物をノズルから吐出するポンプ体とを備える、所謂ハンドポンプと呼ばれるポンプ容器が知られている。このようなポンプ容器は、容器体にシャンプー、ハンドソープ、洗顔料及びシェービングクリーム等の液状物を貯留し、ポンプ体により適量の液状物をノズルから吐出可能に形成されている。
【０００３】
また、ポンプ容器として、外気と連通する空気室、並びに、空気室から送られた空気及び液状物を混合する混合部を備える構成が知られている。このようなポンプ容器は、空気と混合された液状物をスポンジ状又は網目状に形成された多孔体を通過させることで、液状物に泡を発生させて泡状としてノズルから吐出させる技術も知られている。
【０００４】
このようなポンプ容器は、空気を空気室に取り込む際に、外部に存在する水滴や、高湿度の空気を取り込むことで、空気室内に水が浸入する虞がある。空気室に浸入した水は、空気室内において、菌の増殖やカビの発生の原因となる。また、空気室に浸入する水の量が増加すると、空気室に取り込まれる空気の量が減少し、泡質の低下を招く虞もある。
【０００５】
このため、空気室に浸入した水を排出可能なポンプ容器として、空気室に微細排水孔を設ける技術（例えば、特許文献１参照）や、空気室の底部に空気を取り入れる吸入用のチェック弁を設け、液状物を吐出する陽圧時以外はチェック弁を開放する技術（例えば、特許文献２参照）も知られている。
【先行技術文献】
【特許文献】
【０００６】
【特許文献１】特開２０１０−２２７８２１号公報
【特許文献２】特開２０１１−０２５１４４号公報
【発明の概要】
【発明が解決しようとする課題】
【０００７】
上述したポンプ容器では、以下の問題があった。即ち、上述したポンプ容器は、空気室に浸入した水を排出するための孔部が設けられていることから、孔周辺に水滴が存在する状況においては、空気室内が負圧となったときに、孔部から水が吸い込まれる、という問題がある。このため、上述したポンプ容器は、空気室内の水を孔部から排出する機能は有するものの、水が孔部から浸入することを防止する機能に乏しい。
【０００８】
そこで、本発明は、空気室の水を孔部から排出可能、且つ、孔部から空気室内に水が浸入することを防止可能なポンプ容器を提供することを目的とする。
【課題を解決するための手段】
【０００９】
前記課題を解決し目的を達成するために、本発明のポンプ容器は、次のように構成されている。
【００１０】
本発明の一態様として、液状物を貯留する容器体と、空気室及び液室を形成するシリンダ、並びに、前記シリンダ内を往復可能に形成され、前記空気室及び前記液室を圧縮するピストンを備えるポンプ部と、往復動することで前記ピストンを駆動し、前記ポンプ部から供給された前記液状物の吐出流路を有するノズルと、前記ポンプ部の前記液状物を吐出する吐出部に設けられ、前記ポンプ部で吐出された前記液状物を前記空気室の空気と混合する混合部と、前記空気室の底面に形成された座面部と、前記容器体及び前記空気室を連通する、前記座面部に設けられた前記排水口と、水よりも比重が低い材料で形成され、前記座面部と当接可能、且つ、前記座面部と当接することで、前記排水口を閉塞するフロートと、を備える。
【発明の効果】
【００１１】
本発明によれば、空気室の水を孔部から排出可能、且つ、孔部から空気室内に水が浸入することを防止可能なポンプ容器を提供することが可能となる。
【図面の簡単な説明】
【００１２】
【図１】本発明の第１の実施形態に係るポンプ容器の構成を示す断面図。
【図２】同ポンプ容器の構成を示す断面図。
【図３】本発明の第２の実施形態に係るポンプ容器の構成を示す断面図。
【図４】同ポンプ容器の構成を示す断面図。
【図５】本発明の第３の実施形態に係るポンプ容器の構成を示す断面図。
【発明を実施するための形態】
【００１３】
（第１の実施形態）
以下、本発明の第１の実施形態に係るポンプ容器１の構成を、図１及び図２を用いて説明する。  
図１は本発明の第１の実施形態に係るポンプ容器１の構成であって、ポンプ体３を操作した状態を示す断面図、図２はポンプ容器１の構成であって、ポンプ体３の操作を解除した状態を示す断面図である。
【００１４】
図１に示すように、ポンプ容器１は、容器体２と、ポンプ体３と、管体４と、を備えている。ポンプ容器１は、容器体２内に貯留された液状物２００を、ポンプ体３により泡状で吐出する所謂ハンドポンプである。なお、液状物２００は、容器体２内に貯留される内容物であって、例えば、シャンプー、ハンドソープ、洗顔料及びシェービングクリーム等の界面活性剤を含有する液体が用いられる。
【００１５】
容器体２は、その内部に液状物２００を貯留可能に形成されている。容器体２は、ガラス、陶器及び樹脂材料等により形成されている。容器体２は、有底筒状に形成されている。容器体２は、その上端の一部が突出して開口する開口部を有する第１固定部１１を備えている。第１固定部１１は、その外周面に雄螺子部１２が形成されている。
【００１６】
図１及び図２に示すように、ポンプ体３は、支持部１５と、ノズル１６と、ポンプ部１７と、多孔体１８と、排水手段１９と、を備えている。ポンプ体３は、支持部１５により容器体２に固定される。
【００１７】
支持部１５は、容器体２の第１固定部１１に固定される第１被固定部２１と、ノズル１６を挿通する第１案内部２２と、ポンプ部１７の一部が固定される第２固定部２３と、を備えている。支持部１５は、第１被固定部２１、第１案内部２２及び第２固定部２３が、樹脂材料により一体に形成されている。
【００１８】
第１被固定部２１は、その一端に端面２４を有する円筒状に形成されるとともに、その内周面に第１固定部１１の雄螺子部１２と螺合する雌螺子部２５が形成されている。第１被固定部２１は、その端面２４の外面に第１案内部２２が一体に設けられる。
【００１９】
また、第１被固定部２１は、その端面２４の内面に第２固定部２３が一体に設けられる。第１被固定部２１は、その端面２４により、第１固定部１１の開口部を覆う。第１案内部２２は、第１被固定部２１の端面２４の一部を開口する円筒状に形成されている。
【００２０】
第２固定部２３は、円筒状に形成され、ポンプ部１７の一部を固定可能に形成されている。具体的には、第２固定部２３は、その外周面が、ポンプ部１７の後述するシリンダ４１と嵌合可能に形成されている。このような支持部１５は、第１被固定部２１を第１固定部１１に固定することで、端面２４により第１固定部１１の開口部を閉塞可能に形成されている。
【００２１】
ノズル１６は、第１案内部２２に挿通可能な内筒部３１と、その内部に第１案内部２２を挿通可能な外筒部３２と、内筒部３１及び外筒部３２の一端部に一体に形成された吐出ヘッド３３と、を備えている。ノズル１６は、内筒部３１、外筒部３２及び吐出ヘッド３３が、樹脂材料により一体に形成されている。また、ノズル１６は、内筒部３１及び吐出ヘッド３３内に、液状物２００を通過させる吐出流路３４が形成される。
【００２２】
内筒部３１は、その外径が第１案内部２２の内径よりも若干小径に形成されている。内筒部３１は、吐出ヘッド３３により一端側が閉塞される。内筒部３１は、その内部に、吐出流路３４の一部を構成する円柱状の第１流路部３５が形成されている。
【００２３】
外筒部３２は、その内径が第１案内部２２の外径よりも若干大径に形成されている。外筒部３２は、吐出ヘッド３３により、内筒部３１とともに一端側が閉塞される。即ち、外筒部３２は、その内周面が内筒部３１と対向し、その内周面と内筒部３１の外周面との隙間に、第１案内部２２を挿通可能に形成されている。また、外筒部３２は、その一端部に一体に形成された吐出ヘッド３３が第１案内部２２の端部と当接する長さに形成されている。
【００２４】
吐出ヘッド３３は、外筒部３２よりも大径に形成された円盤状であって、その外周の一部が突出して形成されている。吐出ヘッド３３は、その内筒部３１及び外筒部３２間に位置する一部が第１案内部２２の端部と当接することで、ノズル１６の移動量を規制可能に形成されている。
【００２５】
また、吐出ヘッド３３は、その突出する一部の内部に、内筒部３１の第１流路部３５と連通するとともに、第１流路部３５の軸心方向に交差する方向、さらに言えば、略直交方向に延設され、吐出流路３４の他部を構成する第２流路部３９が形成されている。
【００２６】
第２流路部３９は、第１流路部３５の端部と連通する。第２流路部３９は、その端部が吐出ヘッド３３の外周の突出する部位から開口することで、吐出口４０を構成する。第２流路部３９は、第１流路部３５よりも、その流路断面積が小さく形成されている。吐出口４０は、例えば、その開口面積（流路断面積）が、第２流路部３９の他部の流路断面積よりも若干大径に形成されている。また、吐出口４０は、略方形状に開口して形成される。
【００２７】
ポンプ部１７は、シリンダ４１と、ピストン４２と、弁部４３と、付勢部材４４と、を備えている。また、ポンプ部１７は、第１空気室４５、第２空気室４６、液室４７及び混合部４８を備えている。
【００２８】
シリンダ４１は、第１シリンダ部５１と、第１シリンダ部５１に一体に形成された第２シリンダ部５２と、第２固定部２３に固定される第２被固定部５３と、第２シリンダ部５２に設けられた管体４の取付部５４と、第２シリンダ部５２及び取付部５４間に設けられた弁部４３の一部を成す第１弁座５５と、を備えている。
【００２９】
シリンダ４１は、第１シリンダ部５１、第２シリンダ部５２、第２被固定部５３、取付部５４、第１弁座５５及び排水手段１９の一部が、樹脂材料により一体に形成されている。シリンダ４１は、第１シリンダ部５１及び第２シリンダ部５２が同軸上に配置される。
【００３０】
第１シリンダ部５１は、円筒状に形成されている。第１シリンダ部５１は、一方の端部側に第２シリンダ部５２が形成されるとともに、他方の端部に第２被固定部５３が形成される。第１シリンダ部５１は、その内周面に、ピストン４２の一部が摺動可能に形成されている。第１シリンダ部５１は、その内径が、第２固定部２３の内径と同一径に形成されている。第１シリンダ部５１は、一方の端部側、さらに言えば、下端側に、排水手段１９が設けられる。
【００３１】
また、第１シリンダ部５１は、その周面の一部に、第１シリンダ部５１内と容器体２内を連通する孔部５１ａが形成されている。孔部５１ａは、ポンプ部１７が支持部１５を介して容器体２に固定された際に、容器体２の内部に位置する。孔部５１ａは、容器体２に貯留される液状物２００の液面よりも高い位置となる、第１シリンダ部５１の周面の一部に配置される。孔部５１ａは、第１シリンダ部５１内を摺動するピストン４２の一部により第１シリンダ部５１内の空間と容器体２の内部空間とが遮断可能に形成されている。
【００３２】
第２シリンダ部５２は、第１シリンダ部５１よりもその径が小径に形成されている。第２シリンダ部５２は、その内周面に、ピストン４２の一部が摺動可能に形成されている。第２シリンダ部５２は、その軸心方向の長さが、ピストン４２の摺動可能な長さと略同一長さに形成されている。また、第２シリンダ部５２は、その端部に取付部５４及び第１弁座５５が設けられる。
【００３３】
第２被固定部５３は、第１シリンダ部５１の端部に一体に形成されている。第２被固定部５３は、円筒状であって、その内径が第１シリンダ部５１の内径よりも若干大径に形成され、第２固定部２３の外周面に嵌合可能に形成されている。第２被固定部５３は、第１シリンダ部５１と連続する連続部５３ａが、第１シリンダ部５１の上端から傾斜して形成される。第２被固定部５３は、第２固定部２３に固定されたときに、その連続部５３ａが第２固定部２３から離間して配置される。即ち、連続部５３ａは、第２固定部２３の端部と第１シリンダ部５１の端部とを離間させる。
【００３４】
取付部５４は、第１弁座５５を介して第２シリンダ部５２に設けられる。取付部５４は、その内径が、管体４の外径と略同一径、又は、若干小径に形成され、管体４を嵌合可能に形成されている。
【００３５】
第１弁座５５は、第２シリンダ部５２の端部に設けられ、第２シリンダ部５２の軸心方向と直交する方向に延設された円環状の平面部５５ａと、平面部５５ａの内周縁に設けられ、平面部５５ａから取付部５４に向かって漸次縮径するテーパ面状の斜面部５５ｂと、を備えている。
【００３６】
ピストン４２は、内筒部３１に固定されるロッド部６１と、ロッド部６１に設けられた第１ピストン部６２と、ロッド部６１に固定された第２ピストン部６３と、を備えている。ピストン４２は、ロッド部６１及び第１ピストン部６２が、樹脂材料により一体に形成されている。ピストン４２は、内筒部３１にロッド部６１が固定されることで、ノズル１６の往復動に追従して往復動可能に形成されている。
【００３７】
ロッド部６１は、円筒状に形成され、その一方の端部の外周面に形成された、内筒部３１の内周面に嵌合固定される第１嵌合部６５と、第１嵌合部６５の内周面に設けられた突起部６６と、その他方の端部側の周面に設けられ、第２ピストン部６３が嵌合固定される第２嵌合部６７と、を備えている。
【００３８】
第１嵌合部６５は、その外径が、内筒部３１の内径と同一径又は若干大径に形成されている。また、第１嵌合部６５は、その内径の端部が他部よりも大径に形成されている。突起部６６は、第１嵌合部６５の内周面に設けられた円環状の突起であり、液状物２００を通過可能に構成されている。また、突起部６６は、後述する弁部４３の第２弁体９２と当接可能に形成され、第２弁体９２の移動を規制可能に形成されている。
【００３９】
第２嵌合部６７は、第２ピストン部６３が嵌合することで、第２ピストン部６３を固定可能に形成されている。また、第２嵌合部６７は、その一部に、嵌合されたロッド部６１の両端部間を連通する溝部６７ａが形成されている。
【００４０】
第１ピストン部６２は、第１シリンダ部５１の内周面と摺動可能な第１摺動部７１と、第１摺動部７１をロッド部６１に一体に連結する連結部７２と、連結部７２に設けられた孔部７３と、を備えている。
【００４１】
第１摺動部７１は、その両端が第１シリンダ部５１の内周面と摺動可能に形成された円筒状に形成される。具体的には、第１摺動部７１は、第１シリンダ部５１の内径よりも若干小径に形成され、第１シリンダ部５１の内周面とその外周面との間に微小な隙間を形成する胴部７１ａと、胴部７１ａの両端に設けられ、第２固定部２３及び第１シリンダ部５１の内径よりも若干大径に形成され、第２固定部２３及び第１シリンダ部５１の内周面と摺動可能な端部７１ｂと、を備えている。
【００４２】
胴部７１ａは、その一端から他端までの長さが、第１シリンダ部５１の孔部５１ａから第１シリンダ部５１の端部までの長さと略同一又は若干長く形成されている。端部７１ｂは、その外径が、第２固定部２３及び第１シリンダ部５１の内径よりも若干大径であって、且つ、連続部５３ａの中途部の内径よりも小径に形成されている。即ち、端部７１ｂは、第２固定部２３及び第１シリンダ部５１間の隙間を通過する際に、連続部５３ａと離間して通過可能に形成されている。
【００４３】
連結部７２は、ロッド部６１及び胴部７１ａを一体に連結している。連結部７２は、孔部７３に隣接して設けられた円筒状の溝部７４を備えている。孔部７３は、連結部７２の溝部７４の外周側に隣接して設けられる。孔部７３は、溝部７４の周方向の一部に設けられる。
【００４４】
第２ピストン部６３は、円筒状に形成される。第２ピストン部６３は、ロッド部６１に固定され、その外周面が第２シリンダ部５２の内周面と摺動可能に形成されている。具体的に説明すると、第２ピストン部６３は、ロッド部６１の第２嵌合部６７に固定される第２被嵌合部８１と、第２シリンダ部５２の内周面と摺動する第２摺動部８２と、を備えている。また、第２ピストン部６３は、第２被嵌合部８１が設けられた端部の内周面に設けられた第２弁座８３と、その内周面であって第２弁座８３よりも他方の端部側に設けられた第１座面部８４と、第２被嵌合部８１及び第２摺動部８２間に設けられた第３弁座８５と、を備えている。
【００４５】
第２被嵌合部８１は、ロッド部６１の第２嵌合部６７の内周面に嵌合可能に形成されている。第２摺動部８２は、円筒状に形成され、その外径が第２シリンダ部５２の内径と略同一又は若干大径に形成され、第２シリンダ部５２の内周面と摺動可能に形成されている。
【００４６】
第２弁座８３は、第２ピストン部６３の第２被嵌合部８１側端部の内周面に設けられた、第２摺動部８２側に向かって漸次縮径するテーパ面状の斜面により構成される。第１座面部８４は、第２ピストン部６３の第２摺動部８２側の内径が第２被嵌合部８１側の内径よりも大径となることで形成され、付勢部材４４の一方の端部を支持可能に形成されている。
【００４７】
第３弁座８５は、第２摺動部８２の第２被嵌合部８１側の端部に設けられ、第２摺動部８２の当該端部の外周面から円環状に突出して形成された突出部であって、第２被嵌合部８１側の端面により構成される。
【００４８】
弁部４３は、第１弁座５５と、第２弁座８３と、第３弁座８５と、第１弁体９１と、第２弁体９２と、第３弁体９３と、第２弁体９２の移動を案内する第２案内部９４と、を備えている。弁部４３は、ピストン４２の往復動により、第１弁体９１、第２弁体９２及び第３弁体９３が開閉可能に形成されている。
【００４９】
第１弁体９１は、金属材料又は樹脂材料等により形成された球体である。第１弁体９１は、第１弁座５５の斜面部５５ｂに配置され、その表面が、斜面部５５ｂの面の一部に円周状に接触する。また、第１弁体９１は、取付部５４からの液状物２００の流れにより、斜面部５５ｂから離間可能に形成されている。
【００５０】
第２弁体９２は、樹脂材料で形成された、所謂ポペット弁である。第２弁体９２は、その外周面が第２弁座８３と当接する弁体部９２ａと、弁体部９２ａの端部に設けられた軸体９２ｂと、を備えている。第２弁体９２は、第２弁座８３とともに、液室４７から液状物２００を吐出する吐出部を形成する。
【００５１】
弁体部９２ａは、その外周面が漸次縮径するテーパ面状の斜面により形成され、第２弁座８３に当接する当接面を成す。弁体部９２ａは、その傾斜角度が、第２弁座８３の傾斜角度と同一角度に形成されている。また、弁体部９２ａは、先端側の端面の一部が、第２弁座８３と接触せずに、第２ピストン部６３の内部空間に対向する。
【００５２】
軸体９２ｂは、弁体部９２ａの先端に一体に構成されている。また、軸体９２ｂは、その先端部、さらに言えば弁体部９２ａが設けられた端部と相対する端部に設けられ、その軸心方向に直交し、弁体部９２ａに対向する端面に有する突起部９２ｃが、その先端に形成されている。
【００５３】
第３弁体９３は、連結部７２に固定される固定体９３ａと、固定体９３ａの端部の外周側に設けられた第１開閉弁９３ｂと、固定体９３ａの端部の内周側に設けられた第２開閉弁９３ｃと、を備えている。
【００５４】
第３弁体９３は、固定体９３ａ、第１開閉弁９３ｂ及び第２開閉弁９３ｃが、ゴム部材等の弾性変形が可能な樹脂材料により一体に形成されている。固定体９３ａは、例えば、円筒状に形成され、連結部７２に設けられた溝部７４に嵌合されることで固定される。
【００５５】
第１開閉弁９３ｂは、連結部７２に当接することで、孔部７３を閉塞可能に形成されている。第２開閉弁９３ｃは、第２ピストン部６３の第３弁座８５と当接することで、第２嵌合部６７の溝部６７ａを閉塞可能に形成されている。
【００５６】
第２案内部９４は、樹脂材料で形成され、第１弁座５５の平面部５５ａに配置される。具体的には、第２案内部９４は、円筒状に形成されている。第２案内部９４は、一方の端部の外周部から円環状に突出して形成され、平面部５５ａと略同一径に形成された第２座面部９４ａと、一方の端部側に設けられ、第２案内部９４の軸心方向に沿って設けられた複数の溝部９４ｂと、他方の端部に設けられ、第２弁体９２の突起部９２ｃの弁体部９２ａ側に形成された端面と当接することで、第２弁体９２の移動を規制する突起部９４ｃと、を備えている。
【００５７】
付勢部材４４は、金属材料により構成されたスプリングである。付勢部材４４は、第２ピストン部６３の内周面に設けられた第１座面部８４と、第２案内部９４の第２座面部９４ａとに支持される。付勢部材４４は、第１座面部８４及び第２座面部９４ａを介して第２ピストン部６３及び第２案内部９４を互いに離間する方向に付勢する。
【００５８】
第１空気室４５は、第１シリンダ部５１、第１ピストン部６２、第２ピストン部６３により形成され、第１ピストン部６２の往復動でその容積が変化する。第１空気室４５は、孔部７３を介して第２空気室４６と連続するとともに、ロッド部６１の第２嵌合部６７の溝部６７ａにより、混合部４８と連続する。第１空気室４５は、排水手段１９を介して、容器体２の内部空間と連通可能に形成されている。
【００５９】
第２空気室４６は、第１被固定部２１の端面２４、第２固定部２３、第１シリンダ部５１、ロッド部６１、及び、第１ピストン部６２により形成され、第１ピストン部６２の往復動でその容積が変化する。第２空気室４６は、第１案内部２２及び内筒部３１間の隙間により、外気と連通する。
【００６０】
また、第２空気室４６は、第１ピストン部６２の第２空気室４６に位置する端部７１ｂが第２固定部２３及び第１シリンダ部５１の隙間に位置することで、その端部７１ｂが第１シリンダ部５１及び第２被固定部５３間の連続部５３ａと離間して対向する。当該対向により、第２空気室４６は、第２空気室４６が胴部７１ａ及び第１シリンダ部５１の隙間、及び、第１シリンダ部５１の孔部５１ａを介して容器体２内の空間と連通する。このような第１空気室４５及び第２空気室４６は、第１ピストン部６２により第１シリンダ部５１内が分割されることで形成される。
【００６１】
液室４７は、第２シリンダ部５２、第２ピストン部６３、第１弁体９１及び第２弁体９２により形成され、第２ピストン部６３の往復動で、その容積が変化する。液室４７は、第１弁体９１が斜面部５５ｂから離間することで、取付部５４及び管体４を介して容器体２の内部と連通する。また、液室４７は、第２弁体９２の弁体部９２ａが第２ピストン部６３の第２弁座８３から離間することで、混合部４８と連通する。
【００６２】
混合部４８は、ロッド部６１、ロッド部６１の突起部６６、第２ピストン部６３、及び第２弁体９２により構成された、空気及び液状物２００を混合して二次側に通過させる混合室である。混合部４８は、ポンプ部１７の吐出部に設けられ、突起部６６を介して吐出流路３４と連通する。
【００６３】
多孔体１８は、吐出流路３４に設けられ、空気を含有する液状物２００が通過することで、液状物２００を泡状に発泡可能に形成されている。多孔体１８は、例えば、樹脂材料でメッシュ状に形成される。多孔体１８は、例えば、第１流路部３５に固定される円筒状のホルダ１８ａの両面に設けられる。
【００６４】
排水手段１９は、第１シリンダ部５１の底面に設けられた座面部９６と、座面部９６に設けられた排水口９７と、座面部９６に当接可能、且つ、座面部９６に対して移動可能なフロート９８と、座面部９６の上方を覆う浮き止め９９と、を備えている。
【００６５】
座面部９６は、第１シリンダ部５１の底面の一部に設けられた窪みである。具体的には、座面部９６は、円錐状の窪みであって、その内周面がフロート９８と当接する座面を形成する。座面部９６は、その中心に排水口９７が設けられる。なお、第１シリンダ部５１の下面は、座面部９６に向かって下るように漸次傾斜して形成される。
【００６６】
排水口９７は、座面部９６の略中心に設けられ、容器体２及び第１シリンダ部５１内（第１空気室４５）を連通させる開口である。排水口９７は、例えば、その開口形状が円形であって、且つ、開口面積が１ｍｍ２乃至４ｍｍ２に形成されている。
【００６７】
フロート９８は、球体状に形成される。フロート９８は、座面部９６と環状に当接可能に形成されている。フロート９８は、座面部９６と当接することで、排水口９７を閉塞可能に形成されている。フロート９８は、水よりも比重が低い材料、例えば樹脂材料で形成される。
【００６８】
浮き止め９９は、フロート９８が座面部９６から離間する方向に移動する移動量を規制する規制部である。浮き止め９９は、例えば、座面部９６の上方の一部を覆うとともに、突起や孔部が形成された板材である。浮き止め９９は、第１シリンダ部５１の底面に水が溜まったときに、座面部９６からフロート９８が離脱することを防止可能に、座面部９６の上方に設けられる。
【００６９】
次に、このように構成されたポンプ容器１の動作について説明する。  
先ず、図２に示すように、ポンプ容器１は、常時、付勢部材４４により、第２ピストン部６３が第２シリンダ部５２に設けられた第２案内部９４と離間する方向に付勢されることで、ノズル１６及びピストン４２が上死点に維持される。
【００７０】
ノズル１６及びピストン４２が上死点に位置すると、第１空気室４５及び液室４７は、その容積が最大となる。また、ノズル１６及びピストン４２が上死点に位置すると、第１弁体９１、第２弁体９２及び第３弁体９３は閉状態が維持され、第１空気室４５及び第２空気室４６、第１空気室４５及び液室４７、第１空気室４５及び混合部４８、並びに、液室４７及び混合部４８が遮断される。
【００７１】
次に、ノズル１６を容器体２に近接させる方向に押圧すると、上死点から下死点に向かってピストン４２が移動する。具体的には、第１ピストン部６２及び第２ピストン部６３が下死点に向かって移動し、第１空気室４５及び液室４７の容積が漸次減少する。また、第１ピストン部６２及び第２ピストン部６３が下死点に向かって移動すると、第２空気室４６の容積が漸次増加する。
【００７２】
このとき、第１空気室４５内の空気が、第１ピストン部６２により圧縮されて、大気圧よりも高くなると、第３弁体９３は、第２開閉弁９３ｃが第１空気室４５内の空気により押圧され、第３弁座８５から離間する方向に移動して開状態となる。同時に、第１開閉弁９３ｂは閉状態となる。これにより、溝部６７ａが第１空気室４５と連通し、第１空気室４５内の空気が混合部４８に移動する。なお、このとき、フロート９８は、第１空気室４５内の圧力によって座面部９６に向かって押圧され、座面部９６と密着する。
【００７３】
また、液室４７内の液状物２００が、第２ピストン部６３により圧縮されて、大気圧よりも高くなると、第１弁体９１は、液室４７内の液状物２００により斜面部５５ｂに押圧される。また、第２弁体９２は、液室４７内の液状物２００により、第２ピストン部６３の移動方向とは逆方向、換言すると、第２弁座８３から離間する方向に押圧され、第２弁座８３から弁体部９２ａが離間して開状態となる。これにより、液室４７が混合部４８と連通し、液室４７内の液状物２００が混合部４８に移動する。これら第１空気室４５の空気及び液室４７の液状物２００の移動により、混合部４８で液状物２００中に空気が混合する。
【００７４】
その後、下死点に第１ピストン部６２及び第２ピストン部６３が到達すると、第１空気室４５及び液室４７の容積が最小となるとともに、第２空気室４６の容積が最大となる。また、付勢部材４４は、第２ピストン部６３の第１座面部８４により押圧されて圧縮される。
【００７５】
ノズル１６及びピストン４２が下死点に移動後、ノズル１６の押圧を解除すると、圧縮した付勢部材４４が復元力により伸張し、第１座面部８４を介して第２ピストン部６３を付勢する。これにより、ノズル１６及びピストン４２が上死点に向かって移動する。
【００７６】
具体的には、第１ピストン部６２及び第２ピストン部６３が、上死点に向かって移動し、第１空気室４５及び液室４７の容積が漸次増加する。また、第１ピストン部６２及び第２ピストン部６３が上死点に向かって移動すると、第２空気室４６の容積が漸次減少する。
【００７７】
このとき、第１空気室４５内が第１ピストン部６２の移動により負圧化し、第１空気室４５内の圧力が第２空気室４６内の圧力よりも低くなると、第３弁体９３は、第１開閉弁９３ｂが第２空気室４６内の空気により押圧されて連結部７２から離間する方向に移動し、開状態となる。同時に、第２開閉弁９３ｃは閉状態となる。これにより、第１空気室４５及び第２空気室４６が連通し、第２空気室４６内の空気が第１空気室４５内に移動する。
【００７８】
また、第２ピストン部６３が移動して、第２弁体９２が弁座８３に接触して閉状態となり、液室４７の容積が増加すると、液室４７内の圧力が容器体２内の圧力よりも小さくなり、管体４内の液状物２００の圧力により第１弁体９１が斜面部５５ｂから離間して開状態となる。これにより、容器体２内の液状物２００が液室４７内に移動する。
【００７９】
その後、上死点に第１ピストン部６２及び第２ピストン部６３が到達すると、第１空気室４５及び液室４７の容積が最大となるとともに、第２空気室４６の容積が最小となる。
【００８０】
このような上死点及び下死点間のピストン４２の往復動により、容器体２内の液状物２００及び空気が混合部４８に供給される。また、混合部４８で空気と混合した液状物２００は、吐出流路３４内で多孔体１８を通過し、液状物２００及び空気で形成される泡が微細化されることで、均質な泡が形成される。これにより、液状物２００が、泡状となり、吐出口４０から吐出される。
【００８１】
次に、このように構成されたポンプ容器１の第１空気室４５内に水が浸入した場合の排出について説明する。  
例えば、ポンプ容器１が浴室等の湿度が高い場所で用いられると、空気中に含まれる水分が結露して第１空気室４５内に溜まる虞がある。また、ポンプ容器１は、水回りで用いられる場合に水が付着すると、例えば、第１案内部２２や内筒部３１の外面に付着した水滴が空気を第２空気室４６に吸い込むときに第２空気室４６に浸入し、第２空気室４６を介して第１空気室４５に浸入する虞がある。
【００８２】
第１空気室４５に浸入した水は、第１シリンダ部５１の底面に移動する。このとき、第１シリンダ部５１の底面が座面部９６に向かって傾斜することから、水は、座面部９６に移動する。座面部９６に水が移動すると、フロート９８が水面に浮遊し、排水口９７が開放される。これにより、水は自重によって排水口９７から容器体２内に排出される。また、この状態で、ポンプ容器１が使用されると、第１空気室４５が圧縮されることで、当該圧力によって排水口９７から水が排出される。座面部９６の水が排水口９７から排出されると、フロート９８は、再び座面部９６と当接し、排水口９７が閉塞される。
【００８３】
このように構成されたポンプ容器１によれば、フロート９８は、座面部９６に当接することで、排水口９７を閉塞可能、且つ、水が座面部９６に溜まったときに浮くことで、排水口９７を開放可能に形成される。これにより、第１空気室４５に水が浸入しても、容器体２内に排出することが可能となる。また、排水口９７の二次側に水が付着していても、座面部９６にフロート９８が当接して排水口９７が閉塞されるので、当該二次側の水が排水口９７を介して第１空気室４５内に浸入することを防止可能となる。
【００８４】
ポンプ容器１は、第１シリンダ部５１の底面を座面部９６に向かって傾斜させることで、第１空気室４５内に浸入した水を、座面部９６に移動させて、効率的に集めることが可能となる。
【００８５】
また、例えば、排水口９７が開放された状態で、水の表面張力等によって排水口９７に留まったとしても、ポンプ容器１を使用することで、第１空気室４５が圧縮されることで、当該圧縮による第１空気室４５内の増圧により、水が排水口９７から強制的に排水される。これらのことにより、ポンプ容器１は、確実に第１空気室４５内の水を排出することが可能となる。
【００８６】
また、ポンプ容器１は、第１空気室４５内の水を容器体２内に排出することが可能となることで、第１空気室４５の容積を減少させることがない。これにより、ポンプ容器１は、所定の量の空気を圧縮して混合部４８に供給することが可能となり、液状物２００を良質な泡とすることが可能となる。
【００８７】
また、第１空気室４５内に浸入した水が空気と一緒に混合部４８に供給されることを防止可能となり、例えば、水っぽい泡状の液状物２００となるような、吐出する液状物２００の性質（泡質）の低下を防止することが可能となる。さらに、第１空気室４５内に水が溜まることを防止可能となり、雑菌やカビ等の繁殖を防止することが可能となる。
【００８８】
さらに、第１シリンダ部５１内に水が溜まっていないときは、フロート９８は、その自重によって座面部９６に当接することから、排水口９７から水が第１空気室４５内に浸入することが防止できる。また、ポンプ容器１の使用時の傾斜や、外気温の変化等による第１空気室４５内の圧力の低下等によって、排水口９７から水や液状物２００が浸入したとしても、フロート９８が座面部９６から離間することで、浸入した水や液状物２００を排水口９７から排出可能となる。
【００８９】
上述したように、本発明の第１の実施形態に係るポンプ容器１によれば、第１空気室４５に浸入した水を排水口９７から排出可能、且つ、排水口９７から第１空気室４５内に水が浸入することを防止可能となる。
【００９０】
（第２の実施形態）
次に、本発明の第２の実施形態に係るポンプ容器１Ａの構成を、図３及び図４を用いて説明する。  
図３は本発明の第２の実施形態に係るポンプ容器１Ａの構成であって、ポンプ体３Ａを操作した状態を示す断面図、図４はポンプ容器１Ａの構成であって、ポンプ体３Ａの操作を解除した状態を示す断面図である。なお、第２の実施形態に係るポンプ容器１Ａのうち、上述した第１の実施形態に係るポンプ容器１と同様の構成には同一符号を付し、その詳細な説明は省略する。
【００９１】
図３に示すように、ポンプ容器１Ａは、容器体２と、ポンプ体３Ａと、管体４と、を備えている。ポンプ容器１Ａは、容器体２内に貯留された液状物２００を、ポンプ体３Ａにより泡状で吐出する所謂ハンドポンプである。
【００９２】
図３及び図４に示すように、ポンプ体３Ａは、支持部１５と、ノズル１６と、ポンプ部１７Ａと、多孔体１８と、排水手段１９Ａと、を備えている。ポンプ体３Ａは、支持部１５により容器体２に固定される。
【００９３】
ポンプ部１７Ａは、シリンダ４１Ａと、ピストン４２と、弁部４３と、付勢部材４４と、を備えている。また、ポンプ部１７Ａは、第１空気室４５、第２空気室４６、液室４７及び混合部４８を備えている。
【００９４】
シリンダ４１Ａは、第１シリンダ部５１Ａと、第１シリンダ部５１Ａに一体に形成された第２シリンダ部５２と、第２固定部２３に固定される第２被固定部５３と、第２シリンダ部５２に設けられた管体４の取付部５４と、第２シリンダ部５２及び取付部５４間に設けられた弁部４３の一部を成す第１弁座５５と、を備えている。
【００９５】
シリンダ４１Ａは、第１シリンダ部５１Ａ、第２シリンダ部５２、第２被固定部５３、取付部５４、第１弁座５５及び排水手段１９の一部が、樹脂材料により一体に形成されている。シリンダ４１Ａは、第１シリンダ部５１Ａ及び第２シリンダ部５２が同軸上に配置される。
【００９６】
第１シリンダ部５１Ａは、円筒状に形成されている。第１シリンダ部５１Ａは、一方の端部側に第２シリンダ部５２が形成されるとともに、他方の端部に第２被固定部５３が形成される。第１シリンダ部５１Ａは、その内周面に、ピストン４２の一部が摺動可能に形成されている。第１シリンダ部５１Ａは、その内径が、第２固定部２３の内径と同一径に形成されている。第１シリンダ部５１Ａは、一方の端部側、さらに言えば、下端側に、排水手段１９Ａが設けられる。
【００９７】
また、第１シリンダ部５１Ａは、その周面の一部に、第１シリンダ部５１Ａ内と容器体２内を連通する孔部５１ａが形成されている。孔部５１ａは、ポンプ部１７Ａが支持部１５を介して容器体２に固定された際に、容器体２の内部に位置するとともに、容器体２に貯留される液状物２００の液面よりも高い位置となる、第１シリンダ部５１Ａの周面の一部に配置される。
【００９８】
また、第１シリンダ部５１Ａは、その底部に、排水手段１９Ａの一部を構成する円環状の溝部９６Ａを備えている。
【００９９】
第１空気室４５は、第１シリンダ部５１Ａ、第１ピストン部６２、第２ピストン部６３により形成され、第１ピストン部６２の往復動でその容積が変化する。第１空気室４５は、排水手段１９Ａを介して、液室４７と連通可能に形成されている。
【０１００】
第２空気室４６は、第１被固定部２１の端面２４、第２固定部２３、第１シリンダ部５１Ａ、ロッド部６１、及び、第１ピストン部６２により形成され、第１ピストン部６２の往復動でその容積が変化する。第２空気室４６は、第１案内部２２及び内筒部３１間の隙間により、外気と連通する。また、第２空気室４６は、第１ピストン部６２の第２空気室４６に位置する端部７１ｂが第２固定部２３及び第１シリンダ部５１Ａの隙間に位置することで、その端部７１ｂが第１シリンダ部５１及び第２被固定部５３間の連続部５３ａと離間して対向し、第２空気室４６が胴部７１ａ及び第１シリンダ部５１Ａの隙間、及び、第１シリンダ部５１Ａの孔部５１ａを介して容器体２内の空間と連通する。
【０１０１】
排水手段１９Ａは、第１シリンダ部５１Ａの底面に設けられた円環状の溝部９６Ａと、溝部９６Ａに設けられた排水口９７Ａと、溝部９６Ａに当接可能、且つ、溝部９６Ａに対して移動可能なフロート９８Ａと、を備えている。
【０１０２】
溝部９６Ａは、第１シリンダ部５１Ａの底面の一部に設けられ、フロート９８Ａと略同一形状に窪む円環状の窪みである。溝部９６Ａは、その内面がフロート９８Ａと当接する座面部を形成する。溝部９６Ａは、その底面の一部に排水口９７Ａが設けられる。溝部９６Ａは、例えば、排水口９７Ａに向かって下るようにその底面が形成されている。
【０１０３】
排水口９７Ａは、溝部９６Ａの一部に単数又は複数設けられる。排水口９７Ａは、容器体２及び第１シリンダ部５１Ａ内を連続させる開口である。排水口９７Ａは、例えば、その開口形状が円形であって、且つ、開口面積が１ｍｍ２乃至４ｍｍ２に形成されている。
【０１０４】
フロート９８Ａは、例えば、断面が台形状の円環状に形成される。フロート９８Ａは、水よりも比重が低い材料、例えば樹脂材料で形成される。フロート９８Ａは、溝部９６Ａと当接可能に形成されている。フロート９８Ａは、座面部９６Ａと当接することで、排水口９７Ａを閉塞可能に形成されている。
【０１０５】
このように構成されたポンプ容器１Ａは、上述したポンプ容器１と同様に、第１空気室４５内に水が浸入した場合にフロート９８Ａが水に浮くことで、排水口９７Ａが開放される。これにより、第１空気室４５内の水を排出することが可能となる。また、通常時においては、フロート９８Ａは、自重により溝部９６Ａと当接し、排水口９７Ａが閉塞される。これにより、排水口９７Ａの二次側に水が存在しても、第１空気室４５内に水が浸入することが防止可能となるとともに、第１空気室４５が圧縮されたときに、第１空気室４５内の空気が容器体２に逃げることを防止可能となる。
【０１０６】
上述したように、本発明の第２の実施形態に係るポンプ容器１Ａによれば、第１空気室４５に浸入した水を排水口９７Ａから排出可能、且つ、排水口９７Ａから第１空気室４５内に水が浸入することを防止可能となる。
【０１０７】
（第３の実施形態）
以下、本発明の第３の実施形態に係るポンプ容器１Ｂの構成を、図５を用いて説明する。  
図５は本発明の第３の実施形態に係るポンプ容器１Ｂの構成である。なお、第３の実施形態に係るポンプ容器１Ｂのうち、上述した第１の実施形態に係るポンプ容器１と同様の構成には同一符号を付し、その詳細な説明は省略する。
【０１０８】
図５に示すように、ポンプ容器１Ｂは、容器体２と、ポンプ体３Ｂと、管体４と、を備えている。ポンプ容器１Ｂは、容器体２内に貯留された液状物２００を、ポンプ体３Ｂにより泡状で吐出する所謂ハンドポンプである。
【０１０９】
図５に示すように、ポンプ体３Ｂは、支持部１５と、ノズル１６と、ポンプ部１７Ｂと、多孔体１８と、排水手段１９Ｂと、を備えている。ポンプ体３Ｂは、支持部１５により容器体２に固定される。
【０１１０】
ポンプ部１７Ｂは、シリンダ４１Ｂと、ピストン４２と、弁部４３と、付勢部材４４と、を備えている。また、ポンプ部１７Ｂは、第１空気室４５、第２空気室４６、液室４７及び混合部４８を備えている。
【０１１１】
シリンダ４１Ｂは、第１シリンダ部５１Ｂと、第１シリンダ部５１Ｂに一体に形成された第２シリンダ部５２と、第２固定部２３に固定される第２被固定部５３と、第２シリンダ部５２に設けられた管体４の取付部５４と、第２シリンダ部５２及び取付部５４間に設けられた弁部４３の一部を成す第１弁座５５と、を備えている。
【０１１２】
シリンダ４１Ｂは、第１シリンダ部５１Ｂ、第２シリンダ部５２、第２被固定部５３、取付部５４、第１弁座５５及び排水手段１９Ｂの一部が、樹脂材料により一体に形成されている。シリンダ４１Ｂは、第１シリンダ部５１Ｂ及び第２シリンダ部５２が同軸上に配置される。
【０１１３】
第１シリンダ部５１Ｂは、円筒状に形成されている。第１シリンダ部５１Ｂは、一方の端部側に第２シリンダ部５２が形成されるとともに、他方の端部に第２被固定部５３が形成される。第１シリンダ部５１Ｂは、その内周面に、ピストン４２の一部が摺動可能に形成されている。第１シリンダ部５１Ｂは、その内径が、第２固定部２３の内径と同一径に形成されている。第１シリンダ部５１Ｂは、一方の端部側、さらに言えば、下端側に、排水手段１９Ｂが設けられる。
【０１１４】
また、第１シリンダ部５１Ｂは、その周面の一部に、第１シリンダ部５１Ｂ内と容器体２内を連通する孔部５１ａが形成されている。孔部５１ａは、ポンプ部１７Ｂが支持部１５を介して容器体２に固定された際に、容器体２の内部に位置するとともに、容器体２に貯留される液状物２００の液面よりも高い位置となる、第１シリンダ部５１Ｂの周面の一部に配置される。
【０１１５】
また、第１シリンダ部５１Ｂは、その底部に、排水手段１９Ｂを固定する取付孔１００を備えている。
【０１１６】
第１空気室４５は、第１シリンダ部５１Ｂ、第１ピストン部６２、第２ピストン部６３により形成され、第１ピストン部６２の往復動でその容積が変化する。第１空気室４５は、取付孔１００に設けられる排水手段１９Ｂを介して、液室４７と連通可能に形成されている。
【０１１７】
第２空気室４６は、第１被固定部２１の端面２４、第２固定部２３、第１シリンダ部５１Ｂ、ロッド部６１、及び、第１ピストン部６２により形成され、第１ピストン部６２の往復動でその容積が変化する。第２空気室４６は、第１案内部２２及び内筒部３１間の隙間により、外気と連通する。また、第２空気室４６は、第１ピストン部６２の第２空気室４６に位置する端部７１ｂが第２固定部２３及び第１シリンダ部５１Ｂの隙間に位置することで、その端部７１ｂが第１シリンダ部５１Ｂ及び第２被固定部５３間の連続部５３ａと離間して対向し、第２空気室４６が胴部７１ａ及び第１シリンダ部５１Ｂの隙間、及び、第１シリンダ部５１Ｂの孔部５１ａを介して容器体２内の空間と連通する。
【０１１８】
排水手段１９Ｂは、第１シリンダ部５１Ｂの底面に設けられた取付孔１００に嵌入された筒体９５と、筒体９５の一端側に設けられたすり鉢状の座面部９６と、座面部９６に設けられた排水口９７と、座面部９６に当接可能、且つ、座面部９６に対して移動可能なフロート９８と、筒体９５の他端側を閉塞する蓋体９９Ｂと、を備えている。
【０１１９】
筒体９５は、その外周面の一部に、軸心方向に沿って形成された切欠部９５ａを備えている。切欠部９５ａは、一端側の座面部９６から他端まで形成される。切欠部９５ａは、水を通過可能であって、且つ、フロート９８の外径よりもその幅が小さく形成される。フロート９８は、筒体９５内を移動可能、且つ、座面部９６と当接することで、排水口９７を閉塞可能に形成されている。蓋体９９Ｂは、筒体９５の端部を閉塞することで、フロート９８の移動を規制可能に形成された浮き止めである。
【０１２０】
このように構成されたポンプ容器１Ｂは、上述したポンプ容器１と同様に、第１空気室４５内に水が浸入した場合に、筒体９５内に浸入した水によってフロート９８が水に浮くことで、排水口９７が開放される。これにより、第１空気室４５内の水を排出することが可能となる。また、通常時においては、フロート９８は、自重により座面部９６と当接し、排水口９７が閉塞される。これにより、排水口９７の二次側に水が存在しても、第１空気室４５内に水が浸入することが防止可能となるとともに、第１空気室４５が圧縮されたときに、第１空気室４５内の空気が容器体２に逃げることを防止可能となる。また、筒体９５にフロート９８が収容される構成であることから、円錐状の座面部９６の深さを浅くしてもフロート９８が排水口９７の上方に位置することが可能となる。したがって、排水手段１９Ｂは、座面部９６の深さを浅くできるため、少量の水でもフロート９８が浮き上がり、排水口９７を開くことが可能となり、効果的に排水を行うことができる。
【０１２１】
上述したように、本発明の第３の実施形態に係るポンプ容器１Ｂによれば、第１空気室４５に浸入した水を排水口９７から排出可能、且つ、排水口９７から第１空気室４５内に水が浸入することを防止可能となる。
【０１２２】
なお、本発明は上述した実施形態に限定されるものではない。上述した例では、フロート９８，９８Ａは、球状及びリング状の構成を用いて説明したがこれに限定されない。フロート９８，９８Ａは、座面部（溝部）９６，９６Ａと当接することで排水口９７，９７Ａを閉塞可能、且つ、座面部（溝部）９６，９６Ａに水が溜まったときに座面部（溝部）９６，９６Ａから離間する構成であれば、適宜設定可能である。但し、座面部（溝部）９６，９６Ａからフロート９８，９８Ａが離間後に、再び座面部（溝部）９６，９６Ａと当接するように、フロート９８，９８Ａの移動の案内及び規制を行う浮き止め９９、９９Ｂ等の構成を用いることが好ましい。
【０１２３】
また、上述した例では、第１弁体９１は球体を用いる構成を説明したがこれに限定されない。例えば、第１弁体９１は、ポペット弁を用いる構成であってもよい。また、第２弁体９２をポペット弁でなく、球体を用いる構成であってもよい。
【０１２４】
さらに、上述した例では、浮き止め（蓋体）９９、９９Ｂを板状や蓋状とする構成を説明したがこれに限定されず、フロート９８の移動を規制可能であれば、突起等であってもよい。また、ポンプ容器１Ａには、浮き止めを設けない構成を説明したが、浮き止めを設ける構成であってもよい。この他、本発明の要旨を逸脱しない範囲で種々変形実施可能である。
【符号の説明】
【０１２５】
１、１Ａ、１Ｂ…ポンプ容器、２…容器体、３…ポンプ体、４…管体、１５…支持部、１６…ノズル、１７…ポンプ部、１８…多孔体、４１、４１Ａ、４１Ｂ…シリンダ、４２…ピストン、４３…弁部、４４…付勢部材、４５…第１空気室、４６…第２空気室、４７…液室、４８…混合部、５１、５１Ａ、５１Ｂ…第１シリンダ部、５２…第２シリンダ部、９６…座面部、９６Ａ…溝部（座面部）、９７，９７Ａ…フロート、９８…排水口、９９…浮き止め（規制部）、６１…ロッド部、６２…第１ピストン部、６３…第２ピストン部、２００…液状物。
【図１】
2015178364.tif 000003
【図２】
2015178364.tif 000004
【図３】
2015178364.tif 000005
【図４】
2015178364.tif 000006
【図５】
2015178364.tif 000007